(57)【要約】【課題】磁気記録再生装置の記録容量を減じることなく、磁化情報、特に予め所望の磁化情報が記録される領域における磁化情報の消磁あるいは減磁を抑制すること。【解決手段】垂直磁気記録媒体１０は、非磁性基板２１上に、裏打ち層２２が形成されているが、この裏打ち層２２は、データ領域１１のみに形成されており、サーボ領域１２には形成されていない。記録層２４がさらにその上に形成されているが、記録層２４が平坦に形成されるようサーボ領域１２には非磁性層２３が形成されている。【選択図】図２
2006085852.tif 000002
【特許請求の範囲】
【請求項１】
磁気記録媒体の予め所望の磁化情報が記録される領域において裏打ち層を形成せず、記録層は平坦面に形成されたことを特徴とする垂直磁気記録媒体。
【請求項２】
少なくとも、予め所望の磁化情報が記録される領域において裏打ち層を形成せず、記録層は平坦面に形成されたことを特徴とする垂直磁気記録媒体と、
主磁極及びリターンパスを有する記録ヘッドを有することを特徴とする磁気記録再生装置。
【発明の詳細な説明】
【技術分野】
【０００１】
本発明は垂直磁気記録に用いられる磁気記録媒体と磁気記録再生装置に関するものである。
【背景技術】
【０００２】
近年、磁気記録装置、特にハードディスクドライブ装置における面記録密度の上昇が著しいが、長手記録における熱揺らぎに起因する記録磁化の減磁が生じ、長手記録の限界が見えつつある。
【０００３】
これを解消する方式として垂直磁気記録が提案されており、この方式によれば、記録減磁を抑制でき、さらなる高密度記録が可能である。
【０００４】
垂直磁気記録に用いる磁気記録録媒体と記録ヘッドを図５に示す。磁気記録媒体５１は非磁性基板５２上に軟磁性材料からなる裏打ち層５３、記録層５４を形成し、保護層（図示せず）、潤滑剤（図示せず）等を記録層５４上に形成したものである。
【０００５】
記録ヘッド５６は、主磁極５７、リターンパス５８と、コイル５９とからなり、コイル５９に印加された記録電流により生ずるヘッド磁界５５を記録層５４に印加する（このような構成の記録ヘッドを単磁極ヘッドと呼ぶ）。
【０００６】
このとき、磁気記録媒体５１の裏打ち層５３は主磁極５７、リターンパス５８とともに記録ヘッドの磁路として作用するため、主磁極５７から記録層５４に印加されるヘッド磁界５４は大きな垂直成分を有し、記録磁化（図示せず）を、記録層５４に形成する。
【０００７】
なお、リターンパス５８と記録層５４間においては、リターンパス５８の記録層５４との対向する面積が主磁極のそれと比較し、十分大きいので、リターンパス５８の直下での記録層に印加される記録磁界５４は十分小さく、記録磁化が形成されることはない。
【特許文献１】特開平５−１５９２７０号公報
【発明の開示】
【発明が解決しようとする課題】
【０００８】
このような記録ヘッドにおいては、アンテナ効果と呼ばれる、浮遊磁界が主磁極に集中するという効果が知られている。
【０００９】
この浮遊磁界は、磁気記録再生装置内において、磁気記録媒体を回転させるモータや、ヘッドの位置決めを行うボイルコイルモータ等がその発生源としてあげられる。
【００１０】
そして、これらの浮遊磁界は裏打ち層５３によってさらに集中し、主磁極との対向面で大きな磁界を発生し、記録された磁化の減磁あるいは消磁を引き起こすという課題があった。
【００１１】
この課題に対し特許文献１には、図６に示すように、垂直磁気記録媒体６０は、非磁性の基板６１上に、記録トラック方向に沿って所定間隔毎に該トラック方向と直交する方向に分割溝６２により分離された軟磁性層６３が配設され、その各分割溝６２を含む複数のセクタ形状の軟磁性層６３上に、垂直記録層６４が配設されたものが示されており、浮遊磁界は、前記分割溝６２により分離された各セクタ形状の軟磁性層６３にそれぞれ吸収されるが、個々のセクタ形状の軟磁性層６３に分散されて吸収される浮遊磁界は小さくなるので、対向する垂直磁気ヘッドの主磁極へ集中する浮遊漏洩磁界の強度が対応する垂直記録層６４の記録磁化に悪影響を及ぼさない程度に抑制され、磁化情報を減磁、或いは消磁する障害を防止することが可能となること、各分割溝６２の幅は 0.5μｍ程度であれば磁気的に充分な分離効果が発揮されることが記載されている。
【００１２】
この特許文献１には、より大きな浮遊磁界に対し、軟磁性層が、半径方向に対して記録トラック幅に相当する所定幅毎に分割され、その分割部分が更に記録トラック方向に沿って所定間隔のセクタ形状に分割される構造を示しているが、分割を細かくすると、実質的な記録領域が減少し、記録容量が低下するという課題を有していた。
【００１３】
本発明は、前記従来の課題を解決するもので、浮遊磁界に対して記録された磁化情報の消磁や減磁を、記録容量を低下させることなく行う磁気記録媒体および磁気記録再生装置を提供することを目的とする。
【課題を解決するための手段】
【００１４】
前記従来の課題を解決するために、本発明の垂直磁気記録媒体は、磁気記録媒体の予め所望の磁化情報が記録される領域において裏打ち層を形成せず、記録層は平坦面に形成されたことを特徴とする。
【００１５】
本構成によって、裏打ち層を、上記特許文献１に記載されたように、分離することができるだけでなく、予め所望の磁化情報が記録される領域には裏打ち層を形成しないため、この領域においては浮遊磁界が裏打ち層によって集中することがないため、この領域の磁化情報の消磁あるいは減磁をさらに防止することができる。
【００１６】
さらに、本発明の磁気記録再生装置は、上記垂直磁気記録媒体と単磁極ヘッドを有することにより、磁気記録媒体の予め所望の磁化情報が記録される領域における、浮遊磁界に起因する磁化情報の消磁あるいは減磁だけでなく、衝撃、振動のような外乱により、記録動作中に記録ヘッドが前記領域に進入しても前記領域内の磁化情報の消磁あるいは減磁を防止することができる。
【発明の効果】
【００１７】
本発明の垂直磁気記録媒体によれば、磁気記録再生装置の記録容量を減じることなく、磁化情報、特に予め所望の磁化情報が記録される領域における磁化情報の消磁あるいは減磁を抑制することができる。
【発明を実施するための最良の形態】
【００１８】
以下本発明の実施の形態について、図面を参照しながら説明する。
【００１９】
図１は本実施の形態における磁気記録再生装置の垂直磁気記録媒体１０とヘッド支持装置１３を示したもので、ヘッド支持装置１３の一端の下面にはヘッドスライダ１４が設けられ、他端にはボイスコイル１５が設けられている。
【００２０】
また、垂直磁気記録媒体１０を回転させるため、スピンドルモータ（図示せず）が設けられており、磁気記録再生装置の記録再生時には、磁気記録媒体１０の回転によって発生する空気流による浮揚力と、ヘッドスライダ１４を磁気記録媒体１０側へ付勢するヘッド支持装置１３による付勢力との関係により、ヘッドスライダ１４は磁気記録媒体１０上を浮上する。
【００２１】
磁気ヘッドには、図５で説明した、主磁極とリターンパスとコイルからなる記録ヘッドと、磁気抵抗効果素子を用いたシールド型再生ヘッドが構成されている。
【００２２】
ヘッド支持装置１３は、記録再生時には、ヘッド支持装置１３に設けられたボイスコイル１５の作用によって、軸受部１６を中心として回動することにより、ヘッドスライダ１４に搭載された磁気ヘッドが磁気記録媒体１０の所望のトラックに対して位置決めされ、記録再生が行われる構成となっている。
【００２３】
垂直磁気記録媒体１０は、データ領域１１とサーボ領域１２を有している。
【００２４】
サーボ領域には、上記したように、磁気ヘッドが磁気記録媒体１０の所望のトラックに対して位置決めするための信号が、磁気記録再生装置が実用に供せられる前に、磁気記録媒体１０に対して、予め所望の磁化情報として記録されている。
【００２５】
垂直磁気記録媒体１０の図１のＡ−Ａ‘線での概略断面図を図２に示す。
【００２６】
垂直磁気記録媒体１０は、ガラスやＡｌのような非磁性基板２１上に、例えばＮｉＦｅのような軟磁性材料からなる裏打ち層２２が形成されているが、この裏打ち層２２は、データ領域１１のみに形成されており、サーボ領域１２には形成されていない。
【００２７】
さらに。この上に保護層（図示せず）、潤滑層（図示せず）を形成し、磁気記録媒体とする。
【００２８】
なお、裏打ち層の軟磁気特性向上のため、裏打ち層２２の下に下地層を形成しても良い。また、記録層２４は垂直異方性を有するが、磁気特性を改善するため、記録層２４形成の前に下地層を形成しても良い。
【００２９】
記録層２４は、データ領域１１では裏打ち層２２の上に形成されているが、記録層２４が平坦に形成されるようサーボ領域１２には例えばＳｉＯ２のような非磁性材料からなる非磁性層２３が形成されている。
【００３０】
上記のような構成により、裏打ち層２２は、非磁性層２３により磁気的に分離されているので、スピンドルモータやボイスコイルモータからの漏洩磁界が浮遊磁界となり、垂直磁気記録媒体１０の周囲に存在しても、浮遊磁界が裏打ち層に分散されて吸収され、浮遊磁界は小さくなるので、アンテナ効果による磁化情報の減磁あるいは減磁を抑制できるだけでなく、サーボ領域には裏打ち層が存在しないので、浮遊磁界の、主磁極への集中をさらに抑制できるので、サーボ情報の消失をさらに抑制できるという効果を有する。
【００３１】
また、裏打ち層２２はサーボ領域１２で形成されていないが、非磁性層２３により、記録層２４を平坦に構成できるので、磁気的スペーシングがデータ領域と同等にできるので、サーボ領域での磁化情報の形成や再生時に不具合は生じない。さらに、記録層２４は平坦であるので、ヘッドスライダ１４に搭載された磁気ヘッドは一定の浮上量を得ることができる。
【００３２】
そして、裏打ち層２２を分離する非磁性層２３は、サーボ領域１２に構成されているので、記録領域を減少させることがないため、記録容量が減少することもない。
【００３３】
なお、本願において、サーボ領域での磁化情報の記録について、若干説明する。
【００３４】
図３は、サーボ領域での磁化情報の記録の工程の１つの例を示す図で、図２，図５と同様の構成のものについては同一番号を付す。
【００３５】
図３（ａ）に示すように、まず、主磁極５８、リターンパス５７、コイル５９からなる記録ヘッド５６を用いて磁気記録媒体１０の記録層に記録動作を行う。矢印３１は垂直磁気記録媒体１０の走行方向である。このとき、データ領域においては、背景技術で前述したように、裏打ち層２２が磁気ヘッド５６の磁路の一部を構成するため、記録磁化３２が形成されるが、サーボ領域においては裏打ち層がないため、十分な記録磁界が発生せず、記録がなされない。
【００３６】
次に、図３（ｂ）に示すように、記録ヘッド３３と再生ヘッド３４を有する磁気ヘッド３５を用いて、サーボ領域にサーボ信号を記録する。即ち、記録ヘッド３３は下部磁性層３３２と上部磁性層３３１とギャップ３３４からなる磁気回路にコイル３３３が巻回したリング型記録ヘッドで、再生ヘッド３４は、下部シールド３４２と上部シールド３４１と、下部シールド３４２、上部シールド３４１間にＧＭＲ素子３４３を有するシールドタイプ磁気抵抗効果型ヘッドである。
【００３７】
サーボ領域でのサーボ情報の記録にあたり、まず再生ヘッドで再生動作をおこなう。データ領域上では記録磁化３２があるので、再生信号が得られるが、サーボ領域では記録磁化がないため、再生信号が出ない。これを受けて、記録ヘッドにサーボ情報に対応した記録電流を記録ヘッド３３のコイル３３３に印加することにより、ギャップで記録磁界が発生し、サーボ領域での記録がなされる。
【００３８】
この動作により、図３（ｃ）に示すように、サーボ領域において、サーボ情報に対応した記録磁化３６が得られる。
【００３９】
サーボ領域での磁化情報の記録について、他の方法について図４を用いて説明する。
【００４０】
図４（ａ）に示すように、非磁性基板４１上に、サーボ情報に応じたパターン形状を有する軟磁性薄膜パターン４２が形成されたマスター情報担体４０を用意し、垂直磁気記録媒体１０のサーボ領域に、マスター情報担体４０の軟磁性薄膜パターン４２を配置するよう位置合わせする。この位置合わせにおいては、垂直磁気記録媒体１０のデータ領域やサーボ領域外に位置合わせ用マーカーパターンを配置しておけば、精度良く位置合わせを行うことができる。
【００４１】
続いて、マスター情報担体４０を垂直磁気記録媒体１０に密着させ、記録層２４に平行な磁界４３を垂直磁気記録媒体１０に印加する。
【００４２】
磁界４３は、軟磁性薄膜パターン４２に集中するが、図４（ｂ）に示すように、例えば軟磁性薄膜パターン４２ａ，４２ｂ間では記録層２４に対し垂直成分を有する漏洩磁界４３ａとなる。
【００４３】
この漏洩磁界４３ａによって、図４（ｃ）に示すように、サーボ情報に対応した記録磁化４４が形成される。
【００４４】
上述した方法により、本願構成の磁気記録媒体においては、裏打ち層が、サーボ領域に形成されていなくても、サーボ情報を記録することができる。
【００４５】
なお、垂直磁気記録媒体の構成において、浮遊磁界による、データ領域あるいはサーボ領域での消磁あるいは減磁を抑制できることは前述した通りであるが、本構成の磁気記録再生装置において、記録動作中に、衝撃、振動のような外乱が加わり、磁気ヘッドがトラックずれ等を起こし、サーボ領域に入った場合、記録ヘッドは、主磁極から記録磁界を発生させているが、サーボ領域では裏打ち層がないため、図３（ａ）の説明と同様、十分な記録磁界強度とならず、サーボ情報の減磁あるいは消磁を抑制できるという効果も有する。
【００４６】
本実施の形態おいては、垂直磁気記録媒体が磁気記録再生装置に組み込まれ、実用に供せられる前の予め所望の磁化情報が記録される領域をサーボ領域としたが、これに限定されることはなく、セキュリティ情報や、ID情報等、予め情報が記録される領域であればよく、何ら制限されるものではない。
【産業上の利用可能性】
【００４７】
本発明にかかる垂直磁気記録媒体予め所望の磁化情報が記録される領域において裏打ち層を形成せず、記録層は平坦面に形成されたものであり、磁気記録再生装置に用いられる記録媒体として有用である。
【図面の簡単な説明】
【００４８】
【図１】本発明の実施の形態における磁気記録再生装置の垂直磁気記録媒体とヘッド支持装置の概略図
【図２】本発明の実施の形態における垂直磁気記録媒体の概略断面図
【図３】本発明の実施の形態におけるサーボ情報記録過程を示す図
【図４】本発明の実施の形態における他のサーボ情報記録過程を示す図
【図５】従来の垂直磁気記録媒体と記録ヘッドの概略図
【図６】従来の垂直磁気記録媒体の概略図
【符号の説明】
【００４９】
１０    垂直磁気記録媒体
１１    データ領域
１２    サーボ領域
１３    ヘッド支持装置
１４    ヘッドスライダ
１５    ボイスコイル
１６    軸受部
２２    裏打ち層
２４    記録層
２３    非磁性層
５８    主磁極
５７    リターンパス
５９，３３３    コイル
３１    矢印
３２，３６，４４    記録磁化
３３，５６    記録ヘッド
３４    再生ヘッド
３５    磁気ヘッド
３３２    下部磁性層
３３１    上部磁性層
３３４    ギャップ
３４２    下部シールド
３４１    上部シールド
３４３    ＧＭＲ素子
４１    非磁性基板４１
４２，４２ａ，４２ｂ    軟磁性薄膜パターン
４３    マスター情報担体
４３，４３ａ    磁界
【図１】
2006085852.tif 000003
【図２】
2006085852.tif 000004
【図３】
2006085852.tif 000005
【図４】
2006085852.tif 000006
【図５】
2006085852.tif 000007
【図６】
2006085852.tif 000008